(57)【要約】【課題】認知症の人であっても自ら容易に着用することができるパジャマを提供する。【解決手段】上衣１０とズボン２０との少なくとも一方を備えたパジャマ１は、同一形状の前身頃１１（２１）と後身頃１２（２２）とを有し、前身頃１１（２１）及び後身頃１２（２２）各々は左右対称形状である。【選択図】図１
2019123956.tif 000002
【特許請求の範囲】
【請求項１】
上衣とズボンとの少なくとも一方を備えたパジャマであって、同一形状の前身頃と後身頃とを有し、前記前身頃及び前記後身頃各々は左右対称形状であることを特徴とするパジャマ。
【請求項２】
上衣を備えたパジャマであって、
前記上衣の前身頃と後身頃とは同一形状であり、前記前身頃及び前記後身頃各々は左右対称形状であり、
前記前身頃及び前記後身頃の側縁同士の縫合線を対称軸として、左右対称形状のポケットが前記前身頃と前記後身頃とに跨って取り付けられていることを特徴とするパジャマ。
【請求項３】
前記前身頃及び前記後身頃に袖部が連結されており、前記前身頃と前記袖部との連結部の一部に開口部が設けられたことを特徴とする請求項２に記載のパジャマ。
【請求項４】
ズボンを備えたパジャマであって、
前記ズポンの前身頃と後身頃との外形形状は同一であり、前記前身頃と前記後身頃各々の外形形状は左右対称形状であり、
前記ズポンの股上部が中心線で左右に２分割されており、
前記分割された左右の身頃には、該分割された線に沿って、前記左右の身頃を連結するための１本の線ファスナーが取り付けられたことを特徴とするパジャマ。
【請求項５】
ズボンを備えたパジャマであって、
前記ズボンの前身頃と後身頃とは同一形状であり、前記前身頃及び前記後身頃各々は左右対称形状であり、
前記後身頃の上部の布は取り除かれており、前記前身頃の上部の両側縁各々には、横方向外側に延びる腰布が取り付けられており、前記腰布各々の端部には面ファスナーが取り付けられていることを特徴とするパジャマ。
【請求項６】
ズボンを備えたパジャマであって、
前記ズボンの前身頃と後身頃とは同一形状であり、前記前身頃及び前記後身頃各々は左右対称形状であり、
前記後身頃の上部の布は取り除かれており、前記前身頃の上部の両側縁部の裏側に面ファスナーが取り付けられていることを特徴とするパジャマ。
【請求項７】
前記後身頃の上部を覆うための当布をさらに備え、前記当布は前記面ファスナーと係着可能であることを特徴とする請求項５又は６に記載のパジャマ。
【請求項８】
ズボンを備えたパジャマであって、
前記ズボンの前身頃と後身頃とは左右対称形状であり
脚を入れる２つの筒部のうち、一方の筒部の長さは他方の筒部の長さよりも短く、
前記一方の筒部側の身頃は外側側縁で分割されており、
前記分割された線に沿って、前記一方の筒部側の身頃を連結するための線ファスナーが取り付けられていることを特徴とするパジャマ。
【発明の詳細な説明】
【技術分野】
【０００１】
本発明は、パジャマに関し、特に認知症の人であっても自ら容易に着用することができるパジャマに関する。
【背景技術】
【０００２】
従来、介護用のパジャマとして、上衣及びズボンの所望の部位を開閉自在としたものが存在する（例えば、特許文献１参照）。
【先行技術文献】
【特許文献】
【０００３】
【特許文献１】特開平０９−３２４３０７号公報
【発明の概要】
【発明が解決しようとする課題】
【０００４】
このようなパジャマは、病気や高齢のために寝たきりになった人に着用させるのに適したものであるが、体を自由に動かすことができるものの軽い認知症を発症している高齢者等が容易に着用でき、また、普段着としても着用することができるものが存在しないのが現状である。
【０００５】
本発明は、上述した問題点を解決するためになされたものであり、認知症の人であっても自ら容易に着用することができるパジャマを提供することを目的とする。
また、前後を確認せずに着用することができるパジャマを提供することを目的とする。
また、普段着としても着用することができるパジャマを提供することを目的とする。
【課題を解決するための手段】
【０００６】
上記目的の少なくとも１つを達成するために、本発明に係るパジャマは、上衣とズボンとの少なくとも一方を備えたパジャマであって、同一形状の前身頃と後身頃とを有し、前記前身頃及び前記後身頃各々は左右対称形状であることを特徴とする。
【０００７】
本発明のパジャマは、同一形状の前身頃と後身頃とを有し、前記前身頃及び前記後身頃各々は左右対称形状であるため、前後を確認せずに着用することができ、認知症の人であっても自ら容易に着用することができる。また、暗がり等で前後を確認し難い時でも容易に着用することができる。また、シンプルなデザインであるため、部屋着としても着用することができる。
【０００８】
本発明のパジャマは、上衣を備えたパジャマであって、
前記上衣の前身頃と後身頃とは同一形状であり、前記前身頃及び前記後身頃各々は左右対称形状であり、
前記前身頃及び前記後身頃の側縁同士の縫合線を対称軸として、左右対称形状のポケットが前記前身頃と前記後身頃とに跨って取り付けられていることを特徴とする。
【０００９】
本発明によれば、前後を確認せずにパジャマを着用しても、ポケットの位置や形状、着心地、見栄えは変わらないため、認知症の人であっても自ら容易に着用することができる。また、暗がり等で前後を確認し難い時でも容易に着用することができる。
【００１０】
上記発明において、前記前身頃及び前記後身頃に袖部が連結されており、前記前身頃と前記袖部との連結部の一部に開口部が設けられたことを特徴とする。
【００１１】
本発明によれば、前記前身頃と前記袖部との連結部の一部に開口部が設けられているため、通気性がよくなり、脇が蒸れずに臭いを防ぐことができる。また、開口部から体温計を差し込んで、体温を測ることができる。
【００１２】
本発明のパジャマは、ズボンを備えたパジャマであって、
前記ズポンの前身頃と後身頃との外形形状は同一であり、前記前身頃と前記後身頃各々の外形形状は左右対称形状であり、
前記ズポンの股上部が中心線で左右に２分割されており、
前記分割された左右の身頃には、該分割された線に沿って、前記左右の身頃を連結するための１本の線ファスナーが取り付けられたことを特徴とする。
【００１３】
本発明によれば、ズボン着用した人が介護を受ける際には、線ファスナーを開くことでスボンが左右に分割されて腰部や臀部、股部を露出することができ、介護者の負担を軽減することができる。また、線ファスナーを閉めることで着用状態に戻すことができ、普段着として着用することができる。また、前後を確認せずに着用することができ、認知症の人であっても自ら容易に着用することができる。
【００１４】
本発明のパジャマは、ズボンを備えたパジャマであって、
前記ズボンの前身頃と後身頃とは同一形状であり、前記前身頃及び前記後身頃各々は左右対称形状であり、
前記後身頃の上部の布は取り除かれており、前記前身頃の上部の両側縁各々には、横方向外側に延びる腰布が取り付けられており、前記腰布各々の端部には面ファスナーが取り付けられていることを特徴とする。
【００１５】
本発明によれば、被介護者が着用したズボンの腰布を開閉することで、容易に被介護者の介護を行うことができる。また、普段着として使用することができる。
【００１６】
本発明のパジャマは、ズボンを備えたパジャマであって、
前記ズボンの前身頃と後身頃とは同一形状であり、前記前身頃及び前記後身頃各々は左右対称形状であり、
前記後身頃の上部の布は取り除かれており、前記前身頃の上部の両側縁部の裏側に面ファスナーが取り付けられていることを特徴とする。
【００１７】
本発明によれば、面ファスナーにオムツを取り付けることができ、オムツを容易に取り替えることができる。また、普段着として使用することができる。
【００１８】
上記発明において、前記後身頃の上部を覆うための当布をさらに備え、前記当布は前記面ファスナーと係着可能であることを特徴とする。
【００１９】
本発明によれば、当布を後身頃の上部の布を取り除いた部分に当てて、臀部と当布の間に内部にオムツを収納することができる。
【００２０】
本発明のパジャマは、ズボンを備えたパジャマであって、
前記ズボンの前身頃と後身頃とは左右対称形状であり
脚を入れる２つの筒部のうち、一方の筒部の長さは他方の筒部の長さよりも短く、
前記一方の筒部側の身頃は外側側縁で分割されており、
前記分割された線に沿って、前記一方の筒部側の身頃を連結するための線ファスナーが取り付けられていることを特徴とする。
【００２１】
本発明によれば、足首や膝等を骨折してギブスを装着している人でも、線ファスナーを開いてギブスを装着している方の脚の腿に筒部を巻き付けて線ファスナーを閉めることで、容易にズボンを穿くことができる。また、普段着として使用することができる。
【図面の簡単な説明】
【００２２】
【図１】本発明の実施形態に係るパジャマの平面図である。
【図２】同実施形態に係るズボンを股上の中心線で２つ折にした状態での平面図である。
【図３】第１変形例に係る上衣の平面図である。
【図４】第２変形例に係るズボンの正面図である。
【図５】同変形例に係るズボンを左身頃と右身頃に分解した状態を示す図である。
【図６】第３変形例に係るズボンの平面図である。
【図７】同変形例に係るズボンの背面図である。
【図８】同変形例に係る当布の平面図である。
【図９】第４変形例に係るズボンの後身頃側の平面図である。
【図１０】第５変形例に係るズボンを斜め横から見た図である。
【発明を実施するための形態】
【００２３】
以下、図面を参照して、本発明の実施の形態について詳細に説明する。なお、以下の実施形態においては、上衣とズボンとを組み合わせたパジャマ１について説明するが、下衣のみのパジャマ、及び、ズボンのみのパジャマを本発明から除外するものではない。
【００２４】
図１は、本発明の実施形態に係るパジャマ１の平面図である。本実施形態に係るパジャマ１は、上衣１０と、下衣であるズボン２０とを備えている。
【００２５】
上衣１０は、前身頃１１と、前身頃１１と同一形状で全体が重なり合う後身頃１２と、前身頃１１及び後身頃１２の両側縁１３の上端に連結された袖部１４と、を備えている。
【００２６】
前身頃１１と後身頃１２とは同一形状を有しており、かつ、前身頃１１及び後身頃１２各々は左右対称形状を有している。
【００２７】
前身頃１１及び後身頃１２の側縁１３のうち、袖部１４が連結されていない部分は、側縁１３同士が縫合されている。すなわち、前身頃１１の左側の側縁１３と後身頃１２の右側の側縁１３とが縫合され、前身頃１１の右側の側縁１３と後身頃１２の左側の側縁１３とが縫合されている。
側縁１３同士が縫合される左右の縫合線各々を対称軸として、左右対称形状のポケット１５、１５が前身頃１１と後身頃１２とに跨って取り付けられている。
【００２８】
袖部１４の袖口１４ａの裏側には、袖口１４ａの円周に沿って筒状のゴム通し空間（不図示）が形成されており、当該空間にゴム紐等の伸縮性部材（不図示）が通されている。伸縮性部材の伸縮力により袖口１４ａにはギャザーが形成されている。
【００２９】
このように、パジャマ１は同一形状の前身頃１１と後身頃１２とを有し、前身頃１１及び後身頃１２各々は左右対称形状であり、前後を意識せずに着用しても見た目も着心地も同じであるため、着用者は前後を確認せずに着用することができ、軽度の認知症の人でも自ら容易に着用することができる。また、暗がりで前後を確認し難い時でも容易に着用することができる。
【００３０】
なお、本実施形態では、袖部１４及びポケット１５を設けたが、これに限定されることはなく、設けなくてもよい。
【００３１】
ズボン
ズボン２０は、前身頃２１と、前身頃２１と同一形状で全体が重なり合う後身頃２２と、を備えている。前身頃２１と後身頃２２とは同一形状を有している。また、前身頃２１及び後身頃２２各々は左右対称形状を有している。
【００３２】
詳細には、左前身頃２１ａと右後身頃２２ｂとは同一の形状を有しており、右前身頃２１ｂと左後身頃２１ａとは同一の形状を有している。そして、左前身頃２１ａと右前身頃２１ｂとは左右対称の形状を有しており、左後身頃２１ａと右後身頃２２ｂとは左右対称の形状を有している。
【００３３】
図２は、ズボン２０を股上の中心線２３で２つ折にした状態での平面図である。図２には、ズボン２０の左前身頃２１ａが示されている。左前身頃２１ａの輪郭は、腰部分で横に直線状に延びる上端縁２４ａと、腰から股部分にかけて円弧曲線を描いて下端の股部分で外側に突出している中心線２３（股上線２３’）と、股部分から足首部分まで斜め下に直線状に延びる内側側縁２５と、足首部分で横に直線状に延びる裾縁２６と、腰から足首部分まで脚の外側部分を上下方向に直線状に延びる外側側縁２７と、で構成される。
【００３４】
このズボン２０は、ズボン２０の前後を区別せずにどちらからでも穿けるようにするために、中心線２３と内側側縁２５とが交わる股部３４を外側に突出した形状として、股の部分に余裕を持たせている。本実施形態では、股部３４から外側側縁２７までの距離は、裾縁２６や上端縁２４ａの長さの２倍以上となっている。このように股の部分に余裕をもたせているため、オシメをしていてもズボン２０の外部から目立つことはない。
【００３５】
このズボン２０は、１枚の型紙からとられた左前身頃２１ａ及び左後身頃２２ａの２枚の生地と、前記型紙を裏返してとられた右前身頃２１ｂ及び右後身頃２２ｂの２枚の生地と、の４枚の生地が縫合されて形成されている。
【００３６】
具体的には、左前身頃２１ａの中心線２３と右前身頃２１ｂの中心線２３とが縫合され、左後身頃２２ａの中心線２３と右後身頃２２ｂの中心線２３とが縫合されている。
また、左前身頃２１ａの外側側縁２７と、右後身頃２２ｂの外側側縁２７とが縫合されている。左前身頃２１ａの内側側縁２５と、右後身頃２２ｂの内側側縁２５とが縫合されている。
右前身頃２１ｂの外側側縁２７と、左後身頃２２ａの外側側縁２７とが縫合されている。
右前身頃２１ｂの内側側縁２５と、左後身頃２２ａの内側側縁２５とが縫合されている。
【００３７】
なお、左前身頃２１ａ及び右後身頃２２ｂを１枚の型紙でとり、左後身頃２２ａ及び右前身頃２１ｂを同一の前記１枚の型紙でとることも可能である。
【００３８】
ズボン２０の上端部２４には、穿き口に沿って筒状のゴム通し空間（不図示）が形成されており、当該空間にゴム紐等の伸縮性部材（不図示）が通されている。伸縮性部材の伸縮力により上端部２４にはギャザーが形成されている。
【００３９】
パジャマ１の生地の素材は、例えば、ポリエステル６５％及び綿３５％で構成されており、肌触りがよく伸縮性があり、しわになり難い。なお、生地の素材はこのようなものに限定されることはなく、任意の生地を用いることができる。
【００４０】
このように、パジャマ１は同一形状の前身頃１１（２１）と後身頃１２（２２）とを有し、前身頃１１（２１）及び後身頃１２（２２）各々は左右対称形状であるため、認知症の人であっても前後を意識せずに容易に着用することができる。また、健常者であっても、暗がりや急いでいるときに、前後を確認せずに即座に着用することができる。また、シンプルなデザインであるため、部屋着としても着用することができる。また、被介護者は災害時にもパジャマ１を着たまま避難することができる。
【００４１】
（変形例）
以下、上述した実施形態に係るパジャマ１を構成する上衣１０及びズボン２０の変形例について説明する。なお、これらの変形例は、それぞれ単独でも上述した実施形態や他の変形例との組み合わせによっても実施することが可能である。
【００４２】
（第１変形例）
図３は、第１変形例に係る上衣１０Ａの平面図である。図３に示すように、上衣１０Ａの前身頃１１と袖部１４との連結部の一部にスリット状の開口部１６が設けられている。開口部１６は、袖部１４を前身頃１１に縫合して連結する際に、開口を設ける部分を縫い合わせないことで形成することができる。
【００４３】
上衣１０Ａにこのような開口部１６を設けることで、上衣１０Ａ内部への通気性がよくなり、着用者の脇が蒸れずに、臭いを防ぐことができる。
【００４４】
また、袖部１４と前身頃１１とを連結する境界線（切替）を、衿ぐりから脇の下にかけて斜めに延びるラグランスリーブとし、開口部１６を当該境界線の下寄りに設けることで、当該開口部１６を通気孔として使用するのみならず、脇の下への体温計の差し込み口としても使用することができる。
【００４５】
なお、上衣１０Ａの開口部１６が設けられた側を前身頃１１として使用する場合には、前身頃１１の中央部を縦に分割して、中央部をボタンで開閉できるようにしてもよい。
また、前身頃１１及び後身頃１２の両方に開口部１６を設けてもよい。
【００４６】
（第２変形例）
図４は、第２変形例に係るズボン２０Ａの正面図、図５はズボン２０Ａを左身頃３１と右身頃３２に分解した状態を示す図である。
本変形例に係るズボン２０Ａは、股上部２８が中心線２３で左右に２分割されると共に、当該分割された線に沿って、左身頃３１と右身頃３２とを連結するための１本の線ファスナー２９が分割線全体に亘って（つまり、前身頃２１の上端中央部３３から股部３４を通って後身頃２２の上端中央部３５まで）取り付けられている。線ファスナー２９を閉めることで左身頃３１と右身頃３２とが連結され、上述した実施形態に係るズボン２０と同じ様にズボン２０Ａを利用することが可能である。線ファスナー２９を完全に開くことで、左身頃３１と右身頃３２とを完全に分離することができる。
【００４７】
ズボン２０Ａを着用した人が介護を受ける際には、線ファスナー２９を完全に開くことで、腰部や臀部、股部を露出することができ、ズボン２０Ａを着用した人が寝たきりの場合には介護者の負担を軽減することができる。また、臀部に薬を塗る際には、線ファスナー２９を一部開くことによりスムーズに行うことができる。
また、線ファスナー２９を閉めることで着用状態に戻すことができ、普段着として着用することができる。また、前後を確認せずに着用することができ、認知症の人であっても自ら容易に着用することができる。
【００４８】
なお、線ファスナー２９の取り付け位置と内側縁部との間にはマチ３６を設けるとよい。これにより、線ファスナー２９を閉めてズボン２０Ａを着用している際に、線ファスナー２９が外部から見えず、また、線ファスナー２９が臀部に食い込むことがなく、ズボン２０Ａを快適に着用することができる。
【００４９】
前身頃２１の上端中央部３３及び後身頃２２の上端中央部３５には、線ファスナー２９の操作金具を隠蔽する帯状のカバー部材３７が取り付けられている。
カバー部材３７の一端は前身頃２１（又は後身頃２２）に取り付けられ、カバー部材３７の他端の裏側には面ファスナーのオス材３８ａが取り付けられている。当該オス材３８ａに対向する位置の前身頃２１（又は後身頃２２）には面ファスナーのメス材３８ｂが取り付けられている。これにより、カバー部材３７を前身頃２１（又は後身頃２２）に係着させ、線ファスナー２９の操作金具を隠蔽することができる。
【００５０】
これにより、ズボン２０Ａの着用者が線ファスナー２９を触る等して、線ファスナー２９が開いてしまうのを防ぐことができる。
【００５１】
（第３変形例）
図６は、第３変形例に係るズボン２０Ｂの平面図であり、図７はズボン２０Ｂの背面図である。
当該変形例に係るズボン２０Ｂは、上述した実施形態に係るズボン２０から、後身頃２２の上部の布が取り除かれており、かつ、前身頃２１の上部の両側の外側側縁２７各々には、横方向外側に延びる腰布４０が取り付けられている。腰布４０は、翼形状、或いは、略直角三角形状を有している。すなわち、腰布４０の上端縁４３は前身頃２１の上端縁２４ａと連続しており、腰布４０の下端縁４４は外側側縁２７から斜め上方に延びており、端部で上端縁４３と交差している。
【００５２】
図６に示すように、各腰布４０の表側の端部の領域には面ファスナーのメス材４１が設けられている。また、図７に示すように、各腰布４０の裏側の端部には面ファスナーのオス材４２が取り付けられている。
【００５３】
図７に示すように、後身頃２２の上端部４５には、ゴム紐等の伸縮性部材（不図示）が取り付けられており、伸縮性部材の伸縮力により上端部４５にはギャザーが形成されている。
【００５４】
図８は、後身頃２２の布が取り除かれた部分を覆うための当布５０の平面図である。当該当布５０は上端部５１を長軸とする略半楕円形状を有しており、上端部５１にはゴム紐等の伸縮性部材が取り付けられている。当該当布５０の一方の面（表面）の両側の領域には、面ファスナーのメス材５２が設けられている。当該面ファスナーのメス材５２は、腰布４０の端部に設けられた面ファスナーのオス材４２と係着可能である。
【００５５】
当該当布５０の他方の面（裏面）は、臀部やオシメを当てる面である。当該面にはナイロン等の防水機能のある布（不図示）が取り付けられている。
【００５６】
当該当布５０の裏面にオシメを収納した上で、当該当布５０の両側に設けられた面ファスナーのメス材５２を左右の腰布４０の面ファスナーのオス材４２と係着させることで、オシメを安定して快適に着用者の臀部に装着しておくことができる。オシメをはずす際には、当該当布５０の腰布４０との係着を解除し、当布５０との係着が解除された腰布４０各々を被介護者の腰に巻いて、一方の腰布４０の面ファスナーのオス材４２と他方の面ファスナーのメス材４１とを係着させた状態にして、介護者は被介護者のケアを行うことができる。このズボン２０Ｂは被介護者の普段着に適している。
【００５７】
（第４変形例）
図９は、第４変形例に係るズボン２０Ｃの後身頃側の平面図である。
当該変形例に係るズボン２０Ｃは、上述した実施形態に係るズボン２０から、後身頃２２の上部の布が取り除かれており、かつ、前身頃２１の上部の両側縁部の裏側には面ファスナーのオス材６１が３つ取り付けられている。なお、本変形例では面ファスナーのオス材６１を３つ取り付けたが、これに限定されることはなく、例えば、２つでも４つ以上でもよく、また、細長いものを１つ取り付けてもよい。
【００５８】
後身頃２２の上端部４５には、ゴム紐等の伸縮性部材（不図示）が取り付けられており、伸縮性部材の伸縮力により上端部４５にはギャザーが形成されている。
【００５９】
面ファスナーのオス材６１には、市販のオムツを係着させることができる。また、面ファスナーのオス材６１に第３変形例で説明した当布５０の面ファスナーのメス材５２を係着させてもよい。このズボン２０Ｃは被介護者の普段着に適している。
【００６０】
（第５変形例）
図１０は、第５変形例に係るズボン２０Ｄを斜め横から見た図である。
ズボン２０Ｄの前身頃２１と後身頃２２とは左右対称形状である。
脚を入れる２つの筒部７１ａ、７１ｂのうち、一方の筒部７１ａの長さは他方の筒部７１ｂの長さよりも短い。筒部７１ａの長さは、ズボン２０Ｄを穿いた場合に膝が露出する程度の長さが好ましい。
【００６１】
筒部７１ａ側の身頃は外側側縁７２に沿って完全に分割されており、当該分割された線に沿って線ファスナー７３が取り付けられている。
【００６２】
外側側縁７２の上端部には、線ファスナー７３の端部を隠蔽する帯状のカバー部材７４が取り付けられている。
本実施形態では、カバー部材７４の一端は前身頃２１に取り付けられ、カバー部材７４の他端の裏側には面ファスナーのオス材（不図示）が取り付けられている。当該オス材に対向する位置の後身頃２２には面ファスナーのメス材（不図示）が取り付けられている。なお、このカバー部材７４は設けなくてもよい。
【００６３】
このズボン２０Ｄは、足首や膝等を骨折してギブスを装着している人でも、線ファスナー７３を開いて筒部７１ａ側の身頃を分割し、ギブスを装着している方の脚に筒部７１ａを巻き付けて線ファスナー７３を閉めることで、容易に穿くことができる。
左右どちらの脚にギブスを装着していたとしても、このズボン２０Ｄの前身頃２１と後身頃２２とは左右対称形状であるため、ギブスを装着している脚に応じて、前後を変更して穿くことができる。このズボン２０Ｄは、ギブスを装着している人が病院着又は普段着として着用するのに適している。
【００６４】
なお、上述した実施形態及び変形例は一例に過ぎず、特許請求の範囲を逸脱しない範囲で変形が可能である。例えば、第１変形例で説明した上衣１０Ａに対して上述した実施形態で説明したものと同様のポケット１５、１５を設けてもよいし、第２〜４変形例で説明したズボン２０Ａ、２０Ｂ、２０Ｃに対して、上述した実施形態で説明したように左右対称形状のポケット１５、１５を外側側縁２７を対称軸として前身頃２１と後身頃２２に跨って設けてもよい。
【産業上の利用可能性】
【００６５】
前後が同一形状のパジャマは、前後を確認しなくても着ることができるため、軽度の認知症の人のみならず、多忙な健常者が夜遅く帰宅して暗がりの中で着るのにも適している。また、就寝時のみではなく、普段着として着用することもできる。
【符号の説明】
【００６６】
１      パジャマ
１０    上衣
１１    前身頃
１２    後身頃
１３    側縁
１４    袖部
１５    ポケット
１６    開口部
２０，２０Ａ，２０Ｂ，２０Ｃ，２０Ｄ    ズボン
２１    前身頃
２１ａ  左前身頃
２１ｂ  右前身頃
２２    後身頃
２２ａ  左後身頃
２２ｂ  右後身頃
２３    中心線
２３’  股上線
２４    上端部
２４ａ  上端縁
２５    内側側縁
２６    裾縁
２７    外側側縁
２８    股上部
２９    線ファスナー
３１    左身頃
３２    右身頃
３３    上端中央部
３４    股部
３５    上端中央部
３６    マチ
３７    カバー部材
３８ａ  面ファスナーのオス材
３８ｂ  面ファスナーのメス材
４０    腰布
４１    面ファスナーのメス材
４２    面ファスナーのオス材
４３    上端縁
４４    下端縁
４５    上端部
５０    当布
５１    伸縮部材
５２    面ファスナーのメス材
６１    面ファスナーのオス材
７１ａ、７１ｂ  筒部
７２    外側側縁
７３    線ファスナー
７４    カバー部材
【図１】
2019123956.tif 000003
【図２】
2019123956.tif 000004
【図３】
2019123956.tif 000005
【図４】
2019123956.tif 000006
【図５】
2019123956.tif 000007
【図６】
2019123956.tif 000008
【図７】
2019123956.tif 000009
【図８】
2019123956.tif 000010
【図９】
2019123956.tif 000011
【図１０】
2019123956.tif 000012
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
ズボンを備えたパジャマであって、
前記ズボンの前身頃と後身頃との外形形状は同一であり、前記前身頃と前記後身頃各々の外形形状は左右対称形状であり、
前記ズボンの股上部が中心線で左右に２分割されており、
前記分割された左右の身頃には、該分割された線に沿って、前記左右の身頃を連結するための１本の線ファスナーが取り付けられたことを特徴とするパジャマ。
【手続補正２】
【補正対象書類名】明細書
【補正対象項目名】００１２
【補正方法】変更
【補正の内容】
【００１２】
本発明のパジャマは、ズボンを備えたパジャマであって、
前記ズボンの前身頃と後身頃との外形形状は同一であり、前記前身頃と前記後身頃各々の外形形状は左右対称形状であり、
前記ズボンの股上部が中心線で左右に２分割されており、
前記分割された左右の身頃には、該分割された線に沿って、前記左右の身頃を連結するための１本の線ファスナーが取り付けられたことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】